(57)【要約】【課題】サンプルホールド信号を生成する処理に係わるタイミング生成カウンタにノイズが混入してもサンプルホールド信号を出力できるサンプルホールド信号生成回路を提供することを目的とする。【解決手段】サンプルホールド信号生成回路１０はライン同期信号周期測定器１１、最小周期抽出回路１２、第一の演算器１３ａ、タイミング生成カウンタ１４、サンプルホールド信号生成比較器１５、ノイズマスク装置１８等を備えている。ノイズマスク装置１８は、タイミング生成カウンタ１４の同期信号入力部に設けられている。ノイズマスク装置１８は、ノイズマスク中にタイミング生成カウンタ１４にノイズ信号が出力されても、ノイズ信号をマスクし、タイミング生成カウンタ１４にノイズ信号を入力しない。【選択図】図８
2008030252.tif 000002
【特許請求の範囲】
【請求項１】
感光体ドラムを走査して画像情報を書き込む電子写真方式の画像形成装置に用いられ、走査周期ごとにサンプルホールド信号を生成する信号生成回路であって、
ライン同期信号の周期を測定するライン同期信号周期測定器と、
該ライン同期信号周期測定器の出力するライン同期信号周期のうち最小の周期を抽出する最小周期抽出回路と、
該最小周期抽出回路の出力したライン同期信号の最小周期に基づいてライン同期信号を基準とする前記サンプルホールド信号の生成タイミングを算出する第一の演算器とを備え、
前記最小周期抽出回路は、抽出したライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置とを有することを特徴とする信号生成回路。
【請求項２】
感光体ドラムを走査して画像情報を書き込む電子写真方式の画像形成装置に用いられ、走査周期ごとにサンプルホールド信号を生成する信号生成回路であって、
ライン同期信号の周期を測定するライン同期信号周期測定器と、
該ライン同期信号周期測定器の出力するライン同期信号周期のうち最小の周期を抽出する最小周期抽出回路と、
該最小周期抽出回路の出力したライン同期信号の最小周期に基づいてライン同期信号を基準とする前記サンプルホールド信号の生成タイミングを算出する第一の演算器と、
ライン同期信号が入力されてからのクロック数をカウントするタイミング生成カウンタと、
前記第一の演算器の出力したサンプルホールド信号の生成タイミング及び前記タイミング生成カウンタの出力したライン同期信号が入力されてからのクロック数に基づいて前記サンプルホールド信号を出力するサンプルホールド信号生成比較器を備え、
更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設けることを特徴とする信号生成回路。
【請求項３】
感光体ドラムを走査して画像情報を書き込む電子写真方式の画像形成装置に用いられ、走査周期ごとにサンプルホールド信号を生成する信号生成回路であって、
ライン同期信号の周期を測定するライン同期信号周期測定器と、
該ライン同期信号周期測定器の出力するライン同期信号周期のうち最小の周期を抽出する最小周期抽出回路と、
前記最小周期抽出回路の出力したライン同期信号の最小周期に基づいてライン同期信号を基準とする前記サンプルホールド信号の生成タイミングを算出する第一の演算器と、
ライン同期信号が入力されてからのクロック数をカウントするタイミング生成カウンタと、
前記第一の演算器の出力したサンプルホールド信号の生成タイミング及び前記タイミング生成カウンタの出力したライン同期信号が入力されてからのクロック数に基づいて前記サンプルホールド信号を出力する信号生成比較器を備え、
前記最小周期抽出回路は、抽出したライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置を有し、
更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設けることを特徴とする信号生成回路。
【請求項４】
感光体ドラムを走査して画像情報を書き込む電子写真方式の画像形成装置に用いられ、走査周期ごとに信号を生成する信号生成回路であって、
ライン同期信号の周期を測定するライン同期信号周期測定器と、
該ライン同期信号周期測定器の出力するライン同期信号周期のうち最小の周期を抽出する最小周期抽出回路を有し、
該最小周期抽出回路の出力したライン同期信号の最小周期に基づいて前記走査が画像領域から非画像領域に至った後から前記ライン同期信号が入力される前までの所定のタイミングに出力する第一の信号の出力タイミングを演算する第一の演算器を備え、該演算器の出力タイミングで第一の信号を出力し、
前記ライン同期信号の入力された後から前期走査が画像領域に至る前までの所定のタイミングに第二の信号を出力することを特徴とする信号生成回路。
【請求項５】
感光体ドラムを走査して画像情報を書き込む電子写真方式の画像形成装置に用いられ、走査周期ごとに信号を生成する信号生成回路であって、
ライン同期信号の周期を測定するライン同期信号周期測定器と、
該ライン同期信号周期測定器の出力するライン同期信号周期から抽出されたライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置を有する最小周期抽出回路と、
前記最小周期抽出回路の出力したライン同期信号の最小周期に基づいて前記走査が画像領域から非画像領域に至った後から前記ライン同期信号が入力される前までの所定のタイミングに出力する第一の信号の出力タイミングを演算する第一の演算器を備え、該演算器の出力タイミングに第一の信号を出力し、
前記ライン同期信号が入力された後から前記走査が画像領域に至る前までの間の所定のタイミングに第二の信号を出力することを特徴とする信号生成回路。
【請求項６】
感光体ドラムを走査して画像情報を書き込む電子写真方式の画像形成装置に用いられ、走査周期ごとに信号を生成する信号生成回路であって、
ライン同期信号の周期を測定するライン同期信号周期測定器と、
該ライン同期信号周期測定器の出力するライン同期信号周期のうち最小の周期を抽出する最小周期抽出回路と、
該最小周期抽出回路の出力したライン同期信号の最小周期に基づいて前記走査が画像領域から非画像領域に至った後から前記ライン同期信号が入力される前までの所定のタイミングに出力する第一の信号の出力タイミングを算出する第一の演算器と、
ライン同期信号が入力されてからのクロック数をカウントするタイミング生成カウンタと、
前記第一の演算器が出力した第一の信号の出力タイミング及び前記ライン同期信号が入力された後から前期走査が画像領域に至る前までの間の第二の信号の出力タイミングを示す閾値並びに、前記タイミング生成カウンタの出力したライン同期信号が入力されてからのクロック数に基づいて第一の信号及び第二の信号を出力する信号生成比較器を有し、
更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設けることを特徴とする信号生成回路。
【請求項７】
前記第一のライン同期信号最小周期記憶装置に記憶されたライン同期信号の最小周期と前記第二のライン同期信号最小周期記憶装置に記憶されたライン同期信号の最小周期の周期差を算出する第二の演算器と、
前記ライン同期信号の周期差が許容される値を超えた場合にエラー信号を出力するライン同期信号最小周期差比較器とを備えることを特徴とする請求項１，３又は５に記載の信号生成回路。
【請求項８】
前記第二の演算器は、前記第一のライン同期信号最小周期記憶装置に記憶されたライン同期信号の最小周期と前記第二のライン同期信号最小周期記憶装置に記憶されたライン同期信号の最小周期とを減算して減算結果の絶対値を算出することを特徴とする請求項７に記載の信号生成回路。
【請求項９】
前記第一のライン同期信号最小周期記憶装置に記憶されたライン同期信号の最小周期と前記第二のライン同期信号最小周期記憶装置に記憶されたライン同期信号の最小周期の何れか一方を選択して出力するライン同期信号最小周期選択器を備えることを特徴とする請求項１，３又は５に記載の信号生成回路。
【請求項１０】
前記第二のライン同期信号最小周期記憶装置は、ライン同期信号の最小周期を記憶するか否かを制御する制御信号の受付により記憶のタイミングが制御されることを特徴とする請求項７〜９のいずれか１項に記載の信号生成回路。
【請求項１１】
前記制御信号がＣＰＵによって制御可能であることを特徴とする請求項１０に記載の信号生成回路。
【請求項１２】
前記第一の信号はサンプルホールド信号の出力開始信号であり、
前記第二の信号はサンプルホールド信号の出力終了信号であることを特徴とする請求項４〜６のいずれか１項に記載の信号生成回路。
【請求項１３】
前記第一の信号はノイズマスクの終了信号であり、
前記第二の信号はノイズマスクの開始信号であることを特徴とする請求項４〜６のいずれか１項に記載の信号生成回路。
【請求項１４】
前記ノイズマスク装置は、ノイズマスク信号生成比較器とノイズマスク論理回路を有し、
前記ノイズマスク信号生成比較器は、前記ライン同期信号が入力された後から前記走査が画像領域に至るまでの所定のタイミングのクロック数を示す閾値に至った時にノイズマスク信号をノイズマスク論理回路に出力し、前記サンプルホールド信号が出力された時に前記ノイズマスク信号の出力を中止し、
前記ノイズマスク論理回路は、前記ノイズマスク信号が出力されている間に入力された信号をノイズとみなしマスクすることを特徴とする請求項２、３、６又は１３に記載の信号生成回路。
【請求項１５】
請求項１〜１４のいずれか１項に記載の信号生成回路を備える画像形成装置。
【請求項１６】
感光体ドラムを走査して画像情報を書き込む電子写真方式の画像形成装置のＬＳＵが出力するライン同期信号を読み取るステップと、
読み取ったライン同期信号の周期を測定するステップと、
測定したライン同期信号の周期のうち最小周期を抽出するステップと、
抽出したライン同期信号の最小周期から所定の閾値を減算してサンプルホールド信号生成タイミングを示すクロック数を算出するステップと、
ライン同期信号が入力される毎にライン同期信号が入力されてからのクロック数をカウントするステップと、
前記カウント数と前記サンプルホールド信号生成タイミングを示すクロック数を比較し、前記カウント数が前記サンプルホールド信号生成タイミングを示すクロック数に達した時に前記サンプルホールド信号を出力するステップとを有することを特徴とする走査周期ごとにサンプルホールド信号を生成する信号生成装置。
【請求項１７】
請求項１６に記載の信号生成装置の各ステップの処理を実行することを特徴とするプログラム。
【発明の詳細な説明】
【技術分野】
【０００１】
本発明は、感光体ドラムを走査して画像情報を書き込む電子写真方式の画像形成装置に用いられ、走査周期ごとに所定の信号を生成する信号生成回路に関し、特に、感光体ドラムを走査して画像情報を書き込むレーザーダイオードの光量を補正するタイミングを示すサンプルホールド光量補正タイミングを算出するサンプルホールド信号などの信号生成回路に好適な信号生成回路、信号生成方法及び画像形成装置に関する。
【背景技術】
【０００２】
感光体ドラムを走査して画像情報を書き込む電子写真方式の画像形成装置においては、画像情報を書き込むレーザーダイオードの光量を一定に保つために感光体ドラムの走査毎に画像形成領域でのレーザーダイオードの発光パワーを安定化する制御（一般にＡＰＣ：Ａｕｔｏ  Ｐｏｗｅｒ  Ｃｏｎｔｒｏｌと呼ばれる制御）が行われる。通常、特許文献１に示されているように、サンプルホールド信号によりレーザー光の走査が画像形成領域以外のタイミングで光量を検出（サンプル）しＡＰＣ動作を行い電流制御コンデンサの充電電圧により制御結果をホールドしている。
【０００３】
また、サンプルホールド信号生成回路にソフトウェアの設定に従ってサンプルホールドタイミングを生成するものがある。
図１４は、サンプルホールド信号生成回路を含む一般的な画像形成装置のブロック構成図である。画像形成装置は、ＬＳＵコントローラ１、ＬＳＵユニット２、ＣＰＵ３、操作パネル４、各種制御モーター５、ＣＣＤと画像処理ブロック６、ドラムと現像ユニット７、からなる。ユーザーが操作パネル４のコピーボタンを押下するとＣＰＵ３が各種制御モーター５を制御して出力用紙の搬送が開始される。用紙が印字位置まで搬送されると、ＬＳＵコントローラ１は、ＬＳＵユニット２からのライン同期信号に同期させて画像データをＬＳＵユニット２へ出力する。ＬＳＵユニット２はＬＳＵコントローラ１から受け取った画像データによりレーザー光にてドラム上に画像を形成する。ドラム上に形成された画像は出力用紙に転写され現像ユニットにて現像される。
【０００４】
ここでＬＳＵコントローラブロックのサンプルホールド信号生成回路５０は、ＬＳＵユニット２の経時変化を補正するために一定時間ごとに補正指示信号（以後、補正指示信号をサンプルホールド信号と記す）をＬＳＵユニット２に出力する。ＬＳＵユニット２の経時変化としては電流制御コンデンサの自然放電によるレーザーダイオードの発光量の減少などがある。ＬＳＵユニット２は、サンプルホールド信号生成回路５０の出力するサンプルホールド信号が入力されたタイミングでレーザーダイオードの発光量を測定し、発光量に応じて電流制御コンデンサを充電し、適切な発光量となるようにレーザーダイオードの光量補正を行う。
【０００５】
図１５は、サンプルホールド信号と電流制御コンデンサの充電量の関係を示すタイミングチャートで、電流制御コンデンサ充電量が時間の経過とともに減少し、サンプルホールド信号の入力タイミングで再充電されることを説明している。電流制御コンデンサの充電量を示す線はレーザーダイオードの発光量を示しており、電流制御コンデンサの充電量を補正することによってレーザーダイオードの発光量が補正されることを表している。以後、サンプルホールド信号の入力によってＬＳＵユニット２が行うレーザーダイオードの発光量の補正を光量補正と記す。光量補正は一般に１ライン同期信号周期（レーザーの１走査時間）に一回行われる。
【０００６】
図１６は、サンプルホールド信号生成回路の１例について説明するためのブロック図である。従来のサンプルホールド信号生成回路５０は、タイミング生成カウンタ５１とサンプルホールド信号生成比較器５２からなる。タイミング生成カウンタ５１は、ライン同期信号が入力されてからのクロック数を出力するカウンタであり、タイミング生成カウンタ５１はライン同期信号の入力で０にリセットされ、クロックの入力毎に＋１するカウンタで構成される。サンプルホールド信号生成比較器５２は、タイミング生成カウンタ５１の出力するライン同期信号が入力されてからのクロック数とＣＰＵ３から入力されるサンプルホールド信号の生成タイミング設定値（クロック数）を比較してサンプルホールド信号生成タイミングであればサンプルホールド信号を出力する。
【０００７】
図１７は、従来のＬＳＵコントローラ１におけるサンプルホールド信号の出力タイミングを説明するタイミングチャートを示すものであり、図１７（Ａ）に示すようにサンプルホールド信号生成タイミングＵを９００２に設定した場合、タイミング生成カウンタの出力するライン同期信号からのクロック数Ｖが９００２となった際にサンプルホールド信号Ｗを出力する。ここでサンプルホールド信号生成タイミングＵはあらかじめ定められた固定値である。
ところが、ライン同期信号周期は画像形成装置のモデルによって異なり、サンプルホールド信号の出力タイミングはモデルごとに最適化して個別のサンプルホールド信号生成タイミングを設定する必要があった。従来の画像形成装置の中にはＣＰＵからのサンプルホールド信号生成タイミングをソフトウェアによって制御可能であるように構成し、画像形成装置のモデルごとに対応したソフトウェアを使用することによって最適なサンプルホールドタイミングを実現するものがあった。
【特許文献１】特開２００６−６９２０５号公報
【発明の開示】
【発明が解決しようとする課題】
【０００８】
しかしながら従来のサンプルホールド信号生成回路は、サンプルホールド信号生成タイミングがライン同期信号の周期と対応しているため、同一のサンプルホールド信号生成タイミングを異なるライン同期信号周期で動作する画像形成装置に適用するとサンプルホールド信号が出力されない不具合が発生する場合があった。
【０００９】
図１７（Ｂ）に示す従来のサンプルホールド信号生成回路のタイミングチャートを用いて、従来のＬＳＵにおいてサンプルホールド信号が出力されない例を説明する。サンプルホールド信号生成タイミングＵを９００２に設定したソフトウェアをライン同期信号周期の小さい異モデルに適用した場合、ライン同期信号が入力されてからのクロック数Ｖが、サンプルホールド信号生成タイミングＵに達する前に次のライン同期信号Ｔが入力されてリセットされてしまう。その結果、ライン同期信号が入力されてからのクロック数Ｖが、サンプルホールド信号生成タイミングＵに達する条件が発生しないため、サンプルホールド信号Ｗが出力されないことになる。
【００１０】
このような理由により従来の構成では異モデル間でサンプルホールド信号の出力タイミングを共用するソフトウェアを作成できず、画像形成装置のモデル毎に別個のソフトウェアの開発が必要であった。
【００１１】
また、画像形成装置を長年使用するとモーターの回転軸の摩耗によりライン同期信号の最小周期が大きくなる場合がある。また、他の要因例えばモーター等の異常によりライン同期信号の最小周期が小さくなる場合がある。このような場合、ライン同期信号の最小周期の変動が許容量を超えると、適切に印刷が出来なくなるなど、経年変化による不具合が発生するため、適切な時期にメンテナンスを行う必要があり、かかるメンテナンスのサイクルを検知しなければならない。
【００１２】
また、従来のサンプルホールド信号生成回路においては、ライン同期信号Ｔが入力されてからサンプルホールド信号Ｗが出力するまでに、タイミング生成カウンタ５１にノイズが混入してしまうとサンプルホールド信号Ｗが出力されなくなる。
図１８に示す従来のサンプルホールド信号生成回路のタイミングチャートを用いて、従来のサンプルホールド信号生成回路においてサンプルホールド信号が出力されない例を説明する。
図１８（Ａ）はノイズ混入がない場合のサンプルホールド信号の出力タイミングを示した図、図１８（Ｂ）はノイズ混入がある場合のサンプルホールド信号の出力タイミングを示した図である。
図１８（Ａ）に示すように、タイミング生成カウンタ５１にノイズが混入しない場合にはライン同期信号が入力されてからのクロック数Ｖが９００２に達したときにサンプルホールド信号生成比較器５２がサンプルホールド信号Ｗ１を出力している。
しかし、図１８（Ｂ）に示すように、ライン同期信号が入力されてからのクロック数Ｖが８９９９に達したときに、タイミング生成カウンタ５１にノイズが混入してしまうと、混入したノイズによりライン同期信号が入力されてからのクロック数Ｖが０にリセットされてしまいサンプルホールド信号Ｗが出力されなくなってしまう（図中Ｗ２）。
【００１３】
本発明はかかる事情に鑑みてなされたものであり、ライン同期信号の最小周期に基づいてサンプルホールドタイミングを算出、決定することにより、異モデル間でもソフトウェアを共用可能なサンプルホールド信号生成回路を提供することを目的としている。
また、メンテナンスサイクルを検知することができるサンプルホールド信号生成回路を提供することを目的とする。
また、サンプルホールド信号を生成する処理に係わるタイミング生成カウンタにノイズが混入してもサンプルホールド信号を出力できるサンプルホールド信号生成回路を提供することを目的とする。
【課題を解決するための手段】
【００１４】
第１の技術手段は、感光体ドラムを走査して画像情報を書き込む電子写真方式の画像形成装置に用いられ、走査周期ごとにサンプルホールド信号を生成する信号生成回路であって、ライン同期信号の周期を測定するライン同期信号周期測定器と、該ライン同期信号周期測定器の出力するライン同期信号周期のうち最小の周期を抽出する最小周期抽出回路と、該最小周期抽出回路の出力したライン同期信号の最小周期に基づいてライン同期信号を基準とする前記サンプルホールド信号の生成タイミングを算出する第一の演算器とを備え、前記最小周期抽出回路は、抽出したライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置とを有する。
【００１５】
第２の技術手段は、感光体ドラムを走査して画像情報を書き込む電子写真方式の画像形成装置に用いられ、走査周期ごとにサンプルホールド信号を生成する信号生成回路であって、ライン同期信号の周期を測定するライン同期信号周期測定器と、該ライン同期信号周期測定器の出力するライン同期信号周期のうち最小の周期を抽出する最小周期抽出回路と、該最小周期抽出回路の出力したライン同期信号の最小周期に基づいてライン同期信号を基準とする前記サンプルホールド信号の生成タイミングを算出する第一の演算器と、ライン同期信号が入力されてからのクロック数をカウントするタイミング生成カウンタと、前記第一の演算器の出力したサンプルホールド信号の生成タイミング及び前記タイミング生成カウンタの出力したライン同期信号が入力されてからのクロック数に基づいて前記サンプルホールド信号を出力するサンプルホールド信号生成比較器を備え、更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設ける。
【００１６】
第３の技術手段は、感光体ドラムを走査して画像情報を書き込む電子写真方式の画像形成装置に用いられ、走査周期ごとにサンプルホールド信号を生成する信号生成回路であって、ライン同期信号の周期を測定するライン同期信号周期測定器と、該ライン同期信号周期測定器の出力するライン同期信号周期のうち最小の周期を抽出する最小周期抽出回路と、前記最小周期抽出回路の出力したライン同期信号の最小周期に基づいてライン同期信号を基準とする前記サンプルホールド信号の生成タイミングを算出する第一の演算器と、
ライン同期信号が入力されてからのクロック数をカウントするタイミング生成カウンタと、前記第一の演算器の出力したサンプルホールド信号の生成タイミング及び前記タイミング生成カウンタの出力したライン同期信号が入力されてからのクロック数に基づいて前記サンプルホールド信号を出力する信号生成比較器を備え、前記最小周期抽出回路は、抽出したライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置を有し、更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設ける。
【００１７】
第４の技術手段は、感光体ドラムを走査して画像情報を書き込む電子写真方式の画像形成装置に用いられ、走査周期ごとに信号を生成する信号生成回路であって、ライン同期信号の周期を測定するライン同期信号周期測定器と、該ライン同期信号周期測定器の出力するライン同期信号周期のうち最小の周期を抽出する最小周期抽出回路を有し、該最小周期抽出回路の出力したライン同期信号の最小周期に基づいて前記走査が画像領域から非画像領域に至った後から前記ライン同期信号が入力される前までの所定のタイミングに出力する第一の信号の出力タイミングを演算する第一の演算器を備え、該演算器の出力タイミングで第一の信号を出力し、前記ライン同期信号の入力された後から前期走査が画像領域に至る前までの所定のタイミングに第二の信号を出力する。
【００１８】
第５の技術手段は、感光体ドラムを走査して画像情報を書き込む電子写真方式の画像形成装置に用いられ、走査周期ごとに信号を生成する信号生成回路であって、ライン同期信号の周期を測定するライン同期信号周期測定器と、該ライン同期信号周期測定器の出力するライン同期信号周期から抽出されたライン同期信号の最小周期を記憶する第一のライン同期信号最小周期記憶装置と、過去に当該信号生成回路を動作させたときに抽出したライン同期信号の最小周期を記憶する第二のライン同期信号最小周期記憶装置を有する最小周期抽出回路と、前記最小周期抽出回路の出力したライン同期信号の最小周期に基づいて前記走査が画像領域から非画像領域に至った後から前記ライン同期信号が入力される前までの所定のタイミングに出力する第一の信号の出力タイミングを演算する第一の演算器を備え、該演算器の出力タイミングに第一の信号を出力し、前記ライン同期信号が入力された後から前記走査が画像領域に至る前までの間の所定のタイミングに第二の信号を出力する。
【００１９】
第６の技術手段は、感光体ドラムを走査して画像情報を書き込む電子写真方式の画像形成装置に用いられ、走査周期ごとに信号を生成する信号生成回路であって、ライン同期信号の周期を測定するライン同期信号周期測定器と、該ライン同期信号周期測定器の出力するライン同期信号周期のうち最小の周期を抽出する最小周期抽出回路と、該最小周期抽出回路の出力したライン同期信号の最小周期に基づいて前記走査が画像領域から非画像領域に至った後から前記ライン同期信号が入力される前までの所定のタイミングに出力する第一の信号の出力タイミングを算出する第一の演算器と、ライン同期信号が入力されてからのクロック数をカウントするタイミング生成カウンタと、前記第一の演算器が出力した第一の信号の出力タイミング及び前記ライン同期信号が入力された後から前期走査が画像領域に至る前までの間の第二の信号の出力タイミングを示す閾値並びに、前記タイミング生成カウンタの出力したライン同期信号が入力されてからのクロック数に基づいて第一の信号及び第二の信号を出力する信号生成比較器を有し、更に、前記タイミング生成カウンタの同期信号入力部に、ライン同期信号が入力された後前期走査が画像領域に至る前までの間の所定のタイミングから前記サンプルホールド信号が出力されるまでの間に入力される信号をノイズとしてマスクするノイズマスク装置を設ける。
【００２０】
第７の技術手段は、第１，３又は５の技術手段において、前記第一のライン同期信号最小周期記憶装置に記憶されたライン同期信号の最小周期と前記第二のライン同期信号最小周期記憶装置に記憶されたライン同期信号の最小周期の周期差を算出する第二の演算器と、前記ライン同期信号の周期差が許容される値を超えた場合にエラー信号を出力するライン同期信号最小周期差比較器とを備える。
【００２１】
第８の技術手段は、第７の技術手段において、前記第二の演算器は、前記第一のライン同期信号最小周期記憶装置に記憶されたライン同期信号の最小周期と前記第二のライン同期信号最小周期記憶装置に記憶されたライン同期信号の最小周期とを減算して減算結果の絶対値を算出する。
【００２２】
第９の技術手段は、第１，３又は５の技術手段において、前記第一のライン同期信号最小周期記憶装置に記憶されたライン同期信号の最小周期と前記第二のライン同期信号最小周期記憶装置に記憶されたライン同期信号の最小周期の何れか一方を選択して出力するライン同期信号最小周期選択器を備える。
【００２３】
第１０の技術手段は、第７〜９のいずれか１の技術手段において、前記第二のライン同期信号最小周期記憶装置は、ライン同期信号の最小周期を記憶するか否かを制御する制御信号の受付により記憶のタイミングが制御される。
【００２４】
第１１の技術手段は、第１０の技術手段において、前記制御信号がＣＰＵによって制御可能である。
【００２５】
第１２の技術手段は、第４〜６のいずれか１の技術手段において、前記第一の信号はサンプルホールド信号の出力開始信号であり、前記第二の信号はサンプルホールド信号の出力終了信号である。
【００２６】
第１３の技術手段は、第４〜６のいずれか１の技術手段において、前記第一の信号はノイズマスクの終了信号であり、前記第二の信号はノイズマスクの開始信号である。
【００２７】
第１４の技術手段は、第２、３、６又は１３の技術手段において、前記ノイズマスク装置は、ノイズマスク信号生成比較器とノイズマスク論理回路を有し、前記ノイズマスク信号生成比較器は、前記ライン同期信号が入力された後から前記走査が画像領域に至るまでの所定のタイミングのクロック数を示す閾値に至った時にノイズマスク信号をノイズマスク論理回路に出力し、前記サンプルホールド信号が出力された時に前記ノイズマスク信号の出力を中止し、前記ノイズマスク論理回路は、前記ノイズマスク信号が出力されている間に入力された信号をノイズとみなしマスクする。
【００２８】
第１５の技術手段は、第１〜１４のいずれか１の技術手段の信号生成回路を備える画像形成装置である。
【００２９】
第１６の技術手段は、感光体ドラムを走査して画像情報を書き込む電子写真方式の画像形成装置のＬＳＵが出力するライン同期信号を読み取るステップと、読み取ったライン同期信号の周期を測定するステップと、測定したライン同期信号の周期のうち最小周期を抽出するステップと、抽出したライン同期信号の最小周期から所定の閾値を減算してサンプルホールド信号生成タイミングを示すクロック数を算出するステップと、ライン同期信号が入力される毎にライン同期信号が入力されてからのクロック数をカウントするステップと、前記カウント数と前記サンプルホールド信号生成タイミングを示すクロック数を比較し、前記カウント数が前記サンプルホールド信号生成タイミングを示すクロック数に達した時に前記サンプルホールド信号を出力するステップとを有する、走査周期ごとにサンプルホールド信号を生成する信号生成装置である。
【００３０】
第１７の技術手段は、第１６の技術手段の信号生成装置の各ステップの処理を実行するプログラムである。
【発明の効果】
【００３１】
本発明により、異モデル間でもソフトウェアを共用可能なサンプルホールド信号生成回路を提供することができる。
また、本発明により、メンテナンスサイクルを検知することができるサンプルホールド信号生成回路を提供することができる。
また、本発明により、サンプルホールド信号を生成する処理に係わるタイミング生成カウンタにノイズが混入しても所定のサンプルホールド信号を出力できるサンプルホールド信号生成回路を提供することができる。
【発明を実施するための最良の形態】
【００３２】
以下に、本発明に係る信号生成回路の最良の実施例について、図面を参照しながら詳細に説明する。
【００３３】
（実施例１）
図１は、本発明に係わるサンプルホールド信号生成回路を説明するためのブロック図である。サンプルホールド信号生成回路１０はライン同期信号周期測定器１１、最小周期抽出回路１２、第一の演算器１３ａ、タイミング生成カウンタ１４、サンプルホールド信号生成比較器１５、を備え、ＬＳＵユニット２の出力するライン同期信号Ａの周期を測定するライン同期信号周期測定器１１は例えばカウンタから構成される。
【００３４】
ライン同期信号周期測定器１１から出力されるライン同期信号の周期Ｂは、ライン同期信号Ａの周期に相当するクロック数で表される。ライン同期信号の最小周期Ｃを抽出する回路である最小周期抽出回路１２は、ライン同期信号周期測定器１１の出力するライン同期信号の周期Ｂのうちから最小の周期を抽出して後段の第一の演算器１３ａに出力する。
【００３５】
第一の演算器１３ａは、最小周期抽出回路１２の出力するライン同期信号の最小周期Ｃと第一の閾値Ｄ１からサンプルホールド信号生成タイミングＥを算出する回路である。サンプルホールド信号生成タイミングＥはライン同期信号Ａを基準としてサンプルホールド信号の出力するタイミングを示すもので、ライン同期信号Ａを基準とするクロック数で表す。
【００３６】
なお、第一の演算器１３ａとＣＰＵ３を信号線で接続し、第一の演算器１３ａに入力する第一の閾値Ｄ１をＣＰＵ３によって書き換え可能としている。第一の閾値Ｄ１には、レーザー光がドラム上の画像形成領域を走査中にサンプルホールド信号が出力されることがないような値を設定する。
【００３７】
タイミング生成カウンタ１４は、ライン同期信号が入力されてからのクロック数Ｆを出力するカウンタで、ライン同期信号Ａの入力で０となり、クロックの入力で＋１されるカウンタで構成され、後段のサンプルホールド信号生成比較器１５にライン同期信号が入力されてからのクロック数Ｆを出力する。
【００３８】
サンプルホールド信号生成比較器１５は、タイミング生成カウンタ１４の出力するライン同期信号が入力されてからのクロック数Ｆと第一の演算器１３ａの出力するサンプルホールド信号の生成タイミングＥを比較してサンプルホールド信号ＧをＬＳＵユニット２に出力する。サンプルホールド信号Ｇは、ＬＳＵユニット２が光量補正を行うタイミングを示す信号であり、光量補正を行うタイミングでアクティブレベル、光量補正を行わないタイミングでは非アクティブレベルである。
【００３９】
図２は、サンプルホールド信号生成回路の各部の動作タイミングを説明するタイミングチャートである。ライン同期信号の周期Ｂは同一の画像形成装置であっても機械的な要因に左右され誤差を含むため各ライン毎に同一の値とはならない。図２では誤差によってライン同期信号の周期Ｂが１０００２、１０００５、１０００３、１０００１、１０００６に振れた場合を説明している。さらに画像形成装置のモデルが異なる場合はライン同期信号の周期Ｂは大きく異なる。
【００４０】
ライン同期信号の最小周期Ｃは最小周期抽出回路１２で生成される。最小周期抽出回路１２は、過去に入力されたライン同期信号の周期のうちの最小周期とライン同期信号周期測定器１１から入力された最新のライン同期信号の周期とを比較し、小さいほうをライン同期信号の最小周期Ｃとして抽出し、新しいライン同期信号の最小周期Ｃとして第一の演算器１３ａに出力する。
【００４１】
図２の例ではライン同期信号の最小周期Ｃが、ライン同期信号の周期Ｂが１０００１の際に１０００２から１０００１に更新されている。第一の閾値Ｄ１には最小周期抽出回路１２が動作中は常に一定の値が与えられる。図２の例では１０００が与えられている。
【００４２】
サンプルホールド信号生成タイミングＥは、第一の演算器１３ａで算出される。サンプルホールド信号生成タイミングＥはライン同期信号の最小周期Ｃと第一の閾値Ｄ１を演算して算出される。図２の例ではライン同期信号の最小周期Ｃから第一の閾値Ｄ１を減ずる減算を行っている。
【００４３】
第一の演算器１３ａは、ライン同期信号の最小周期Ｃが１０００２のときは９００２を、ライン同期信号の最小周期Ｃが１０００１のときは９００１を、サンプルホールド信号生成タイミングＥとしてサンプルホールド信号生成比較器１５に出力している。前述したように、サンプルホールド信号Ｇはライン同期信号が入力されてからのクロック数Ｆとサンプルホールド信号生成タイミングＥが一致したタイミングで出力され、図２の例ではライン同期信号が入力されてからのクロック数Ｆが９００２となり、サンプルホールド信号生成タイミングＥと一致した際にサンプルホールド信号Ｇを出力している。ここでは、１クロック経過後、サンプルホールド信号Ｇの出力を終了するようにしている。
【００４４】
図３は、ライン同期信号周期測定器１１の構成を説明するための図である。
図３（Ａ）は、ライン同期信号周期測定器１１の詳細な構成を示すブロック図であり、図３（Ｂ）は、ライン同期信号周期測定器１１のタイミングチャートである。
【００４５】
ライン同期信号周期測定器１１は、ライン同期信号Ａの入力で０となり、クロックｃｌｋの入力で＋１されるクロックカウンタ１１ａと、ライン同期信号Ａの入力タイミングでカウンタ出力をラッチするラッチ１１ｂとで構成され、クロックカウンタ１１ａはライン同期信号が入力されてからのクロック数Ｆを出力する。
【００４６】
ラッチ１１ｂはライン同期信号Ａの入力タイミングでクロックカウンタ１１ａの値をラッチし、その値をライン同期信号の周期Ｂとして後段の最小周期抽出回路１２に出力する。
【００４７】
図４は、最小周期抽出回路１２の構成を説明するための図である。
図４（Ａ）は、最小周期抽出回路１２の構成を示すブロック図であり、図４（Ｂ）は、最小周期抽出回路１２のタイミングチャートである。
【００４８】
最小周期抽出回路１２は、最小周期抽出比較器１２ａと第一のライン同期信号最小周期記憶装置１２ｂからなり、最小周期抽出比較器１２ａは、ライン同期信号周期測定器１１から送られてくる最新のライン同期信号の周期Ｂと第一のライン同期信号最小周期記憶装置１２ｂに記憶されているこれまでの最小のライン同期信号の周期Ｃ１をライン同期信号Ａに同期して比較して小さい方を最小のライン同期信号の周期Ｃ２として第一のライン同期信号最小周期記憶装置１２ｂに出力する。また、この際ライン同期信号の代わりにクロックを入力してもよい。そして、最小のライン同期信号の周期Ｃ１よりライン同期信号の周期Ｂが小さかった場合は最小周期が更新されたことを通知する最小周期更新フラグＨを計時装置１６などの外部回路に出力する。
【００４９】
第一のライン同期信号最小周期記憶装置１２ｂは、最小のライン同期信号周期Ｃ２を記憶し、新たに最小のライン同期信号周期Ｃ１として第一の演算器１３ａと最小周期抽出比較器１２ａに出力する。また、第一のライン同期信号最小周期記憶装置１２ｂは、出力していたライン同期信号の最小周期Ｃ１を比較結果である新たなライン同期信号の最小周期Ｃ２に変更し、それを新たにライン同期信号の最小周期Ｃ１として出力するように構成することも可能である。また、図４で説明した最小周期抽出回路１２は、後述する実施例２または実施例３で説明するサンプルホールド信号生成回路に適用することができる。
【００５０】
図５は、図４で説明した最小周期抽出回路１２に、第二のライン同期信号最小周期記憶装置１２ｃ、第二の演算器１３ｂを新たに追加したブロック図である。
第二のライン同期信号最小周期記憶装置１２ｃは、サンプルホールド信号生成回路１０の過去（例えば前回等）、正常に動作した時に測定したライン同期信号の最小周期Ｃ３を記憶する装置である。また、記憶するタイミングは、ＣＰＵ３が出力する記憶許可信号Ｋによって決定することができる。
【００５１】
第二の演算器１３ｂは、第一のライン同期信号最小周期記憶装置１２ｂに記憶したライン同期信号の最小周期Ｃ１と第二のライン同期信号最小周期記憶装置１２ｃに記憶したライン同期信号の最小周期Ｃ３（過去動作時）の差を演算して、演算結果であるライン同期信号の周期差Ｉを後述するライン同期信号最小周期差比較器１２ｄに出力する。なお、第二の演算器１３ｂは、減算器と絶対値算出器で構成することができる。
【００５２】
ライン同期信号最小周期差比較器１２ｄは、第二の演算器１３ｂが演算したライン同期信号の最小周期差ＩとＣＰＵ３から入力された第二の閾値Ｄ２を比較し、ライン同期信号の周期差Ｉが第二の閾値Ｄ２を超えた場合にライン同期信号の最小周期検出エラーＪをＣＰＵ３に出力する。上記第二の閾値は当該ＬＳUの許容される走査周期の差である。
【００５３】
また、ＣＰＵ３が出力する更新許可信号（制御信号）により、第二のライン同期信号最小周期記憶装置１２ｃに記憶されたライン同期信号の最小周期の記憶値を更新許可信号出力時にライン同期信号周期測定器１１で測定されたライン同期信号の周期Ｂで更新することができる。
【００５４】
このように構成することにより、当該信号生成回路の使用時に測定し抽出するライン同期信号の最小周期と以前の使用時に測定し抽出した最小周期との周期差が閾値以上の場合にエラー信号を出力することができるので、エラー信号を受信したＣＰＵは、ライン同期信号周期の再測定を行う又はエラー表示を行う等のエラー処理を行うことができる。
これにより経年使用による、メンテナンスサイクルを検知するための外部回路（例えば、トナーの消費量、ドラムの回転数などを測定してメンテナンスサイクルを検知するための回路）を備えなくても、メンテナンスサイクルを検知することができる。
【００５５】
また、更新許可信号（制御信号）により、第二のライン同期信号最小周期記憶装置１２ｃに記憶されたライン同期信号の周期が最新のライン同期信号の周期に更新され、メンテナンスサイクル経過などに対応して最適な最小周期と入れ替えることができるので経年変化による不具合が生じなくなる。
【００５６】
図６は、最小周期抽出回路１２に、第二のライン同期信号最小周期記憶装置１２ｃ、ライン同期信号最小周期選択器１２ｅを新たに追加したブロック図である。
ライン同期信号最小周期選択器１２ｅは、ライン同期信号の最小周期Ｃ２又はライン同期信号の最小周期Ｃ３（過去動作時）のいずれか一方を選択して第一の演算器１３ａに出力する。なお、ＣＰＵ３が出力するライン同期信号の最小周期選択信号Ｌによって前述したライン同期信号の最小周期Ｃ２又はＣ３のどちらかを選択するかあらかじめ決定することもできる。
【００５７】
このようにすることで、それまでのサンプルホールド信号生成回路の動作時に抽出されて記憶されているライン同期信号の最小周期を基準にできるので、起動中にライン同期信号の最小周期を抽出する時間を経ることなく速やかに、本発明に係わるサンプルホールド信号生成回路を適用した画像処理装置を起動することができる。
【００５８】
図７は、第一の演算器１３ａの構成を説明するための図である。図７（Ａ）は、第一の演算器１３ａの構成を示すブロック図であり、図７（Ｂ）は、第一の演算器１３ａのタイミングチャートである。図７の例では第一の演算器１３ａを減算器１７で構成している。ライン同期信号の最小周期Ｃから第一の閾値を減算してサンプルホールド信号生成タイミングとして出力している。
【００５９】
（実施例２）
図８は、図１に示したサンプルホールド信号生成回路１０のタイミング生成カウンタ１４の同期信号入力部にノイズマスク装置１８を設けたブロック図である。
図９は、ノイズマスク装置１８を説明するためのブロック図であり、ノイズマスク装置１８は、ノイズマスク信号生成比較器１８ａ、ノイズマスク論理回路１８ｂから構成される。
ノイズマスク信号生成比較器１８ａは、ライン同期信号が入力されてからのクロック数Ｆが第三の閾値Ｄ３と一致するとノイズマスク信号ＮＭをノイズマスク論理回路１８ｂに出力し、サンプルホールド信号生成比較器１５からサンプルホールド信号Ｇが入力されるとノイズマスク信号ＮＭの出力を終了する。
第三の閾値Ｄ３で示すタイミングは、ライン同期信号Ａが入力された直後が最も良いが、ライン同期信号Ａが入力されてからＬＳUの走査が画像領域の走査に至る前までの所定のタイミングが好ましい。
【００６０】
ノイズマスク論理回路１８ｂは、ノイズマスク信号ＮＭがノイズマスク論理回路１８ｂに出力されている間はライン同期信号Ａの入力部に入力される信号をノイズとみなしてマスクしタイミング生成カウンタ１４に出力しない。
一方、ノイズマスク信号ＮＭがノイズマスク論理回路１８ｂに入力されない間に、ライン同期信号Ａが入力された場合には、入力されたライン同期信号Ａをタイミング生成カウンタ１４に出力する。
ノイズマスク装置１８は、ライン同期信号が入力されるブロックであればどのブロックに適用してもよい。例えば、図１のライン同期信号周期測定器１１または図１のタイミング生成カウンタ１４等に適用することができる。
【００６１】
ノイズマスク信号ＮＭの出力を開始するタイミング及び終了するタイミングは、第三の閾値Ｄ３を変更することにより任意に設定できることはいうまでもない。また、ノイズマスク信号ＮＭの終了タイミングも、サンプルホールド信号の出力タイミングとしているが、ライン同期信号が入力されてからのクロック数Ｆが所定の閾値と一致した時点でノイズマスク信号ＮＭの出力を終了するようにすることもできる。
【００６２】
図１０は、ノイズマスク装置の動作タイミングを説明するためのタイミングチャートである。
図示の例では、ノイズマスク信号生成比較器１８ａは、ライン同期信号が入力されてからのクロック数Ｆが第三の閾値Ｄ３である“１”と一致するとノイズマスク信号ＮＭの出力を開始し、サンプルホールド信号Ｇがノイズマスク信号生成比較器１８ａに入力された時点（ライン同期信号が入力されてからのクロック数Ｆが“９００５”）でノイズマスク信号の出力を終了している。ノイズマスク論理回路１８ｂは、ノイズマスク信号ＮＭが入力されている間にノイズマスク論理回路１８ｂに入力された信号をノイズとしてマスクするため、この信号がタイミング生成カウンタ１４に入力されることはない。
【００６３】
（実施例３）
図１１は、ライン同期信号Ａが入力される前のＬＳＵが非画像領域を走査する間の所定のタイミング（非画像領域の走査タイミング）に第一の信号を出力し、ライン同期信号Ａが入力された後、ＬＳUが画像領域の走査を開始する前までの所定のタイミング（非画像領域の走査タイミング）に第二の信号を出力する信号生成回路のブロック図、図１２はその動作を説明するタイミングチャートである。なお、図及び以下の記載はサンプルホールド信号に適用する場合を例に説明している。
最小周期抽出回路１２は、図４、図５、図６に記載したものが適用できる。第１の演算器１３ａ、タイミング生成カウンタ１４は他の実施例のものと同様であり、サンプルホールド信号生成比較器１５ａ、１５ｂも他の実施例のサンプルホールド信号比較器１５と同様である。
【００６４】
第一の閾値は、サンプルホールド信号の開始信号の生成タイミングを得るためにライン同期信号の最小周期のクロック数から減算するクロック数の設定値であり、他の実施例と同様である。また、第四の閾値は、サンプルホールド信号の終了信号の生成タイミングを設定するものである。
【００６５】
第一の演算器１３ａは、最小周期抽出回路１２の出力したライン同期信号の最小周期Ｃのクロック数から上記の第一の閾値を減算する。これにより、ＬＳUの走査が画像領域を走査した後の非画像領域を走査するタイミングで第一の信号Ｇ１が出力できるようにサンプルホールド信号（開始信号）生成タイミングＥが出力される。図では９００５クロックと表示されているのが上記の生成タイミングを示すクロック数である。
他の実施例で説明したように上記タイミングのサンプルホールド信号はノイズマスク信号の終了信号としても用いられる。
【００６６】
第四の閾値Ｄ４で設定するサンプルホールド信号の終了信号の生成タイミングは、ライン同期信号Ａの入力された後ＬＳUの走査が画像領域の走査に至る前の非画像領域を走査する間の所定のタイミングのクロック数が設定される。第二の信号はサンプルホールド信号の終了信号として用いられるが、他の実施例で説明したノイズマスク信号の開始信号にも適用できるものであり、第四の閾値はノイズマスクの開始信号の生成タイミングを設定するものでもある。
図では、１クロックと表示され、ライン同期信号Ａの出力直後のタイミングに設定されているが、これは第二の信号をサンプルホールド信号の終了信号とノイズマスク信号の開始信号に兼用する場合に好適な例である。
【００６７】
上記のサンプルホールド信号生成タイミングのクロック数Ｅとタイミング生成カウンタ１４が出力するライン同期信号の入力後のクロックのカウント値が一致すると第一のサンプルホールド信号生成比較器１５ａが第一の信号Ｇ１を出力する。同様に、第四の閾値Ｄ４のクロック数とタイミング生成カウンタ１４が出力するライン同期信号の入力後のクロックのカウント値が一致すると第二のサンプル信号生成比較器１５ｂが第二の信号Ｇ２を出力する。
【００６８】
第一、第二の信号は論理回路１９に入力されてサンプルホールド信号Ｇを出力する。また、この信号の反転信号はノイズマスク信号ＮＭとして用いることができる。
このようなサンプルホールド信号生成回路において、第一の信号をサンプルホールド信号の出力開始信号、第二の信号をサンプルホールド信号の出力終了信号として用い、また、前述したノイズマスク回路１８ｂに出力するノイズマスク信号の出力開始タイミングの信号として第二の信号を、ノイズマスク信号の出力終了タイミング信号として第一の信号を用いることができる。これにより、サンプルホールド信号生成回路の簡素化を図ることができる。
【００６９】
（実施例４）
図１３（Ａ）は、サンプルホールド信号の生成をソフトウェアで達成するものである。
ＣＰＵ（ソフトウェア）３は、ライン同期信号周期測定器１１から、複数のライン同期信号周期Ｂの測定データを読み出し、該データからライン同期信号の最小周期を抽出する。
また、ＣＰＵ３は、抽出した最小周期から予め記憶されている第一の閾値を減算してサンプルホールド信号生成タイミングＥを生成し、サンプルホールド信号生成比較器１５に出力する。
【００７０】
図１３（Ｂ）は、前述したＣＰＵ（ソフトウェア）の処理を説明するためのフロー図である。
ＣＰＵ３が、画像形成装置のＬＳＵユニット２が出力するライン同期信号Ａを読み取り（ステップＳ１）、読み取ったライン同期信号Ａの周期を測定する（ステップＳ２）。
【００７１】
次に、ＣＰＵ３が、測定したライン同期信号Ａの周期のうち最小の周期を抽出し（ステップＳ３）、抽出したライン同期信号の最小周期Ｃから第一の閾値Ｄ１を減算してサンプルホールド信号の生成タイミングＥを算出し（ステップＳ４）、さらに、ライン同期信号が入力毎にクロック数Ｆをカウントする（ステップＳ５）。
さらに、ＣＰＵ３が、算出したサンプルホールド信号の生成タイミングＥとカウントしたクロック数Ｆを比較し一致した時にサンプルホールド信号ＧをＬＳＵユニット２に出力する（ステップＳ６）。
【００７２】
このように、ライン同期信号最小周期抽出回路と演算器をソフトウェアで構成することで、追加するハードウェア量を少なくすることができる。
【図面の簡単な説明】
【００７３】
【図１】本発明に係わるサンプルホールド信号生成回路を説明するためのブロック図である。
【図２】サンプルホールド信号生成回路の各部の動作タイミングを説明するタイミングチャートである。
【図３】ライン同期信号周期測定器の構成を説明するための図である。
【図４】最小周期抽出回路の構成を説明するための図である。
【図５】最小周期抽出回路に、第二のライン同期信号最小周期記憶装置、第二の演算器、ライン同期信号最小周期差比較器を新たに追加したブロック図である。
【図６】最小周期抽出回路に、第二のライン同期信号最小周期記憶装置、ライン同期信号最小周期選択器を新たに追加したブロック図である。
【図７】第一の演算器の構成を説明するための図である。
【図８】タイミング生成カウンタの同期信号入力部にノイズマスク装置を適用したブロック図である。
【図９】ノイズマスク装置を説明するためのブロック図である。
【図１０】ノイズマスク装置の動作タイミングを説明するためのタイミングチャートである。
【図１１】第一の信号及び第二の信号を出力するサンプルホールド信号生成回路を説明するためのブロック図である。
【図１２】第一の信号及び第二の信号を出力するサンプルホールド信号生成回路を説明するためのタイミングチャートである。
【図１３】サンプルホールド信号の生成をソフトウェアで達成する処理を説明するブロック図及びフロー図である。
【図１４】一般的な画像形成装置の構成を示すブロック図である。
【図１５】サンプルホールド信号の生成タイミングを示すタイミングチャートである。
【図１６】サンプルホールド信号生成回路の１例を示すブロック図である。
【図１７】サンプルホールド信号生成回路の動作を説明するタイミングチャートである。
【図１８】サンプルホールド信号生成回路においてサンプルホールド信号が出力されない例を説明するタイミングチャートである。
【符号の説明】
【００７４】
１…ＬＳＵコントローラ、２…ＬＳＵユニット、３…ＣＰＵ、４…操作パネル、５…各種制御モーター、６…ＣＣＤ、画像処理ブロック、７…ドラム、現像ユニット、１０…サンプルホールド信号生成回路、１１…ライン同期信号周期測定器、１１ａ…クロックカウンタ、１１ｂ…ラッチ、１２…最小周期抽出回路、１２ａ…最小周期抽出比較器、１２ｂ…第一のライン同期信号最小周期記憶装置、１２ｃ…第二のライン同期信号最小周期記憶装置、１２ｄ…ライン同期信号最小周期差比較器、１２ｅ…ライン同期信号最小周期選択器、１３ａ…第一の演算器、１３ｂ…第二の演算器、１４…タイミング生成カウンタ、１５，１５ａ，１５ｂ…サンプルホールド信号生成比較器、１６…計時装置、１７…減算器、１８…ノイズマスク装置、１８ａ…ノイズマスク信号生成比較器、１８ｂ…ノイズマスク論理回路、１９…論理回路、５０…サンプルホールド信号生成回路、５１…タイミング生成カウンタ、５２…サンプルホールド信号生成比較器。
【図１】
2008030252.tif 000003
【図２】
2008030252.tif 000004
【図３】
2008030252.tif 000005
【図４】
2008030252.tif 000006
【図５】
2008030252.tif 000007
【図６】
2008030252.tif 000008
【図７】
2008030252.tif 000009
【図８】
2008030252.tif 000010
【図９】
2008030252.tif 000011
【図１０】
2008030252.tif 000012
【図１１】
2008030252.tif 000013
【図１２】
2008030252.tif 000014
【図１３】
2008030252.tif 000015
【図１４】
2008030252.tif 000016
【図１５】
2008030252.tif 000017
【図１６】
2008030252.tif 000018
【図１７】
2008030252.tif 000019
【図１８】
2008030252.tif 000020